(57)【特許請求の範囲】
【請求項１】
モータの出力軸にインペラが具備され、該インペラを回転駆動することにより流体を送り出すポンプ装置において、
上記出力軸を回転自在に軸支する軸受装置を設け、該ポンプ装置のポンプ部を構成するケーシングの一部で、上記軸受装置を支持する軸受支持部を形成すると共に上記モータのステータコアを支持するステータ支持部を形成し、
上記ステータコアに設けた放熱用の複数のリブを上記出力軸側に延設し、それらの先端で上記ステータ支持部を挟持して上記ステータコアを支持するとともに、上記リブ間の空隙を利用して空気が流通可能な貫通部を上記ステータコアの内部に形成したこと、
を特徴とするポンプ装置。
【請求項２】
モータの出力軸にインペラが具備され、該インペラを回転駆動することにより流体を送り出すポンプ装置において、
上記出力軸を回転自在に軸支する軸受装置を設け、該ポンプ装置のポンプ部を構成するケーシングの一部で、上記軸受装置を支持する軸受支持部を形成すると共に上記モータのステータコアを支持するステータ支持部を形成し、
上記ステータコアに設けた放熱用の複数のリブを上記出力軸側に延設し、それらの先端に上記ステータ支持部に嵌合する円筒部を一体形成するとともに、上記リブと上記円筒部との間の空隙を利用して空気が流通可能な貫通部を上記ステータコアの内部に形成したこと、
を特徴とするポンプ装置。
【請求項３】
モータの出力軸にインペラが具備され、該インペラを回転駆動することにより流体を送り出すポンプ装置において、
上記出力軸を回転自在に軸支する軸受装置を設け、該ポンプ装置のポンプ部を構成するケーシングの一部で、上記軸受装置を支持する軸受支持部を形成すると共に上記モータのステータコアを支持するステータ支持部を形成し、上記ステータコアにはこのステータコアに蓄熱した熱を放熱するためのリブを形成し、
複数の上記リブを上記出力軸側に延設し、それらの先端で上記ステータ支持部を挟持して上記ステータコアを支持するとともに、上記リブ間の空隙を利用して空気が流通可能な貫通部を形成したこと、
を特徴とするポンプ装置。
【請求項４】
モータの出力軸にインペラが具備され、該インペラを回転駆動することにより流体を送り出すポンプ装置において、
上記出力軸を回転自在に軸支する軸受装置を設け、該ポンプ装置のポンプ部を構成するケーシングの一部で、上記軸受装置を支持する軸受支持部を形成すると共に上記モータのステータコアを支持するステータ支持部を形成し、上記ステータコアにはこのステータコアに蓄熱した熱を放熱するためのリブを形成し、
この複数の上記リブを上記出力軸側に延設し、それらの先端に上記ステータ支持部に嵌合する円筒部を一体形成するとともに、上記リブと上記円筒部との間の空隙を利用して空気が流通可能な貫通部を形成したこと、
を特徴とするポンプ装置。
【発明の詳細な説明】
【０００１】
【発明の属する技術分野】
本発明は、ポンプ装置に関し、特に食器洗い乾燥機に適するポンプ装置に関する。
【０００２】
【従来の技術】
従来のポンプ装置として、単体となるモータにポンプ部品を組み付けた構造を有しているものがある。このような従来構造のポンプ装置は、洗濯機に内蔵される自吸式ポンプに使用されている。このような自吸式ポンプは、たとえば、特開平８−１３５５９０号公報や特開平１０−１９６５８２号公報に開示されている。
【０００３】
また、従来のポンプ装置として、食器洗い乾燥機に使用されているポンプ装置がある。このポンプ装置は、ポンプ用モータとしてインダクションモータが使われ、その外周をモータシャフトに取り付けたファンで冷却するようになっている。また、ステータの内周部を水冷する水冷方式ポンプ装置が提案されている。
【０００４】
【発明が解決しようとする課題】
しかしながら、上述の自吸式ポンプ装置は、モータとポンプが別部品であり、モータがポンプケースに組み込まれて一体化される構造となっているため、オイルシール保持部材とモータの出力軸との芯合わせが難しいものとなっている。芯合わせが不十分であると、ノイズが発生する、シールの寿命が短くなるなどの欠点がある。また、モータの保持のために、取付板等の別部品が必要となるので組立工数が多くなると共にコストアップになる。また、冷却するためのファンが別途必要な場合もあり、コストアップになる。
【０００５】
また、上述の食器洗い乾燥機に使用されているポンプ装置は、モータとしてインダクションモータが使用されているために、５０／６０Ｈｚで特性が異なる。すなわち、モータの回転数が、５０／６０Ｈｚでそれぞれ３０００／３６００ｒｐｍと低いために、ポンプ効率が悪く、ポンプが大型になる。また、インダクションモータのために、効率が悪く、発熱が大きい。さらに、冷却ファンが必要となる。また、水冷方式では、食器洗浄循環水を利用するために水温が高くなり（たとえば、８０〜８５℃程度の水温）、冷却効果が少ない。また、水の循環が悪く、冷却効果が少ない。
【０００６】
そこで、本発明の目的は、ノイズが生じにくく、しかも部品の耐久性を向上させることができ、モータ部の発熱を抑えることができるポンプ装置を提供することにある。
【０００７】
【課題を解決するための手段】
上記した目的に鑑みて、本発明のポンプ装置では、モータの出力軸にインペラが具備され、インペラを回転駆動することにより流体を送り出すポンプ装置において、出力軸を回転自在に軸支する軸受装置を設け、ポンプ装置のポンプ部を構成するケーシングの一部で、軸受装置を支持する軸受支持部を形成すると共にモータのステータコアを支持するステータ支持部を形成し、ステータコアの内部には空気が流通可能な貫通部を形成している。これにより、モータの出力軸とこの出力軸に取り付けられる軸受装置やステータコアなどの各部品の同芯の確保が容易となる。また、ステータコアからの発熱を貫通部を通る空気によって冷却することができる。
【０００８】
また、この発明では、ステータコアに設けた放熱用の複数のリブを出力軸側に延設し、それらの先端でステータ支持部を挟持してステータコアを支持するとともに、リブ間の空隙によって空気が流通可能な貫通部を形成している。これにより、ステータコアの空冷効果が高められる。
【０００９】
また、他の発明のポンプ装置では、モータの出力軸にインペラが具備され、インペラを回転駆動することにより流体を送り出すポンプ装置において、出力軸を回転自在に軸支する軸受装置を設け、ポンプ装置のポンプ部を構成するケーシングの一部で、軸受装置を支持する軸受支持部を形成すると共にモータのステータコアを支持するステータ支持部を形成し、ステータコアの内部には空気が流通可能な貫通部を形成している。これにより、モータの出力軸とこの出力軸に取り付けられる軸受装置やステータコアなどの各部品の同芯の確保が容易となる。また、ステータコアからの発熱を、貫通部を通る空気によって冷却することができる。
【００１０】
また、この発明では、ステータコアに設けた放熱用の複数のリブを出力軸側に延設し、それらの先端にステータ支持部に嵌合する円筒部を一体形成するとともに、リブと円筒部との間の空隙で空気が流通可能な貫通部を形成している。これにより、ステータコアの空冷効果が高められる。
【００１１】
さらに、他の発明のポンプ装置では、モータの出力軸にインペラが具備され、インペラを回転駆動することにより流体を送り出すポンプ装置において、出力軸を回転自在に軸支する軸受装置を設け、ポンプ装置のポンプ部を構成するケーシングの一部で、軸受装置を支持する軸受支持部を形成すると共にモータのステータコアを支持するステータ支持部を形成し、ステータコアにはこのステータコアに蓄熱した熱を放熱するためのリブを形成している。これにより、ステータ支持部が、ポンプ側ケーシングで代用されるため、部品点数が削減され、安価なポンプが可能になる。また、ステータコアの中心の貫通孔に、軸受支持部とステータ支持部とを配設するという簡単な構成のため、組み立てが容易となる。また、リブを形成したことによってステータコアの露出部分の表面積が増え、発熱するステータコアの冷却効果が高められる。
【００１２】
また、この発明では、ステータコアに設けた放熱用の複数のリブを出力軸側に延設し、それらの先端でステータ支持部を挟持してステータコアを支持するとともに、リブ間の空隙によって空気が流通可能な貫通部を形成している。これにより、ステータコアの空冷効果が高められる。
【００１３】
さらに、他の発明のポンプ装置では、モータの出力軸にインペラが具備され、インペラを回転駆動することにより流体を送り出すポンプ装置において、出力軸を回転自在に軸支する軸受装置を設け、ポンプ装置のポンプ部を構成するケーシングの一部で、軸受装置を支持する軸受支持部を形成すると共にモータのステータコアを支持するステータ支持部を形成し、ステータコアにはこのステータコアに蓄熱した熱を放熱するためのリブを形成している。これにより、ステータ支持部が、ポンプ側ケーシングで代用されるため、部品点数が削減され、安価なポンプが可能になる。また、ステータコアの中心の貫通孔に、軸受支持部とステータ支持部とを配設するという簡単な構成のため、組み立てが容易となる。また、リブを形成したことによってステータコアの露出部分の表面積が増え、発熱するステータコアの冷却効果が高められる。また、この発明では、ステータコアに設けた放熱用の複数のリブを出力軸側に延設し、それらの先端にステータ支持部に嵌合する円筒部を一体形成するとともに、リブと円筒部との間の空隙で空気が流通可能な貫通部を形成している。これにより、ステータコアの空冷効果が高められる。
【００１４】
【発明の実施の形態】
以下、本発明のポンプ装置の実施の形態について図１から図７を参照しながら説明する。図１は、本発明のポンプ装置の縦断面図、図２は正面図、図３は左側面図、図４は右側面図、図５は図４において矢印Ａ方向から見た部分略図、図６はポンプ装置のモータ部の結線図、図７は、モータ部のステータコアの形状例を示す横断面図である。
【００１５】
本発明のポンプ装置は、従来のように別部品からなるポンプとモータを組み付けた構造ではなく、ポンプとモータが一体構造となっているとともに、モータが空冷構造になっていることを特徴としている。
【００１６】
本発明のポンプ装置は、図示の例では食器洗い乾燥機用ポンプ装置になっている。このポンプ装置のポンプ部は、第１および第２のポンプ側ケーシングとしてのポンプ側ケーシング１，２と、ポンプ側ケーシング１，２間に配置される分離壁３と、第１および第２のインペラとしての樹脂製のインペラ４，５と、シール部材としてのゴム製のオイルシール６とからなり、循環水ポンプ部と排水ポンプ部を構成している。
【００１７】
ポンプ側ケーシング１と分離壁３で囲まれる循環水ポンプ部は、ポンプ側ケーシング１の内壁で形成された吸水口７と、吸水口７に続くポンプ側ケーシング１の内壁と分離壁３とで形成され、インペラ４が配置されるインペラ室８と、インペラ室８と連通するようにポンプ側ケーシング１に一体形成された渦巻き状吐出部９とを備えている。インペラ４は、シャフト１６が挿通される穴が開いた取付部４ａと、羽根部４ｂと、羽根部４ｂに一体形成された環状リブ４ｃを備えている。分離壁３には、インペラ５の取付部５ａが通る穴３ａと、インペラ４の環状リブ４ｃが入り込むことによりラビリンス構造をなす環状溝３ｂが形成されている。
【００１８】
排水ポンプ部には、ポンプ側ケーシング２と分離壁３で囲まれて、インペラ５が配置されるインペラ室１０が形成されている。また、排水ポンプ部は、それぞれインペラ室１０と連通するように、ポンプ側ケーシング２に一体形成された入水口２３と出水口２４を備えている。インペラ５は、シャフト１６が挿通される穴が開いており、インペラ４の取付部４ａにドッキングする取付部５ａと、羽根部５ｂとを備えている。
【００１９】
ポンプ装置のモータ部は、円筒状のモータ側ケーシング１１と、軸受装置としてのラジアル軸受（ボールベアリングや焼結軸受など）１２，１３と、ロータ用のマグネット１４と、ロータヨーク１５と、モータの出力軸となるシャフト１６と、ステータコア１７と、ボビン１８と、コイル１９と、基板２０と、ホールＩＣ２１と、リード線２２とから構成される。ロータヨーク１５は、カップ状に形成されており、内周部にロータ用のマグネット１４が固着される。ロータヨーク１５は、マグネット１４のバックアップヨークになっており、鉄製の磁性材料（たとえば、絞り性の良い低炭素鋼）が使用される。カップの側面には、ファン羽根１５ａが切り起こされている。
【００２０】
第２のポンプ側ケーシング２は、第１のモータ側ケーシング１の環状突出部１ａがはめ込まれる環状溝部２ａと、環状溝部２ａから延びている大径円筒状延出部２ｂと、大径円筒状延出部２ｂの径より小さい径を有し、大径円筒状延出部２ｂから外向きに延びて、軸受支持部およびステータ支持部として働く中径円筒状延出部２ｃと、中径円筒状延出部２ｃとほぼ同じ径を有し、大径円筒状延出部２ｂから内向きに（すなわち、中径円筒状延出部２ｃと反対方向に）延びている小径延出部２ｄとを備えている。
【００２１】
ポンプ側ケーシング１，２とモータ側ケーシング１１は、ねじ２５で締め付けられ、一体化される。また、モータ側ケーシング１１には、図５に示すように、リード線２２の直径よりわずかに幅の狭いリード線通し穴１１ｃが形成されている。このリード線通し穴１１ｃは、ねじ２５による締め付け時にリード線２２を挟み付け、リード線２２の抜け強度を確保している。また、モータ側ケーシング１１の底壁（図１では右側）には、風通し穴１１ａが形成されている。また、モータ側ケーシング１１の側壁には、開口部１１ｂや開口部１１ｄが開けられており、開口部１１ａから流入してくる空気を排出している。
【００２２】
また、ステータコア１７は、図７に示すように、たとえば９個の磁極片１７Ａ〜１７Ｉと、連結円筒部１７Ｊと、９個のリブ１７ａ〜１７ｉとからなる一体成形構造になっている。各磁極片１７Ａ〜１７Ｉは、等間隔に円形になるように連結円筒部１７Ｊに連結される。また、各リブ１７ａ〜１７ｉは、連結円筒部１７Ｊにおける各磁極片１７Ａ〜１７Ｉに対応する場所から内向きに延びており、それらの先端で、ステータ支持部として働く中径円筒状延出部２ｃに嵌合する貫通孔１７Ｋが形成される。ステータコア１７の各磁極片１７Ａ〜１７Ｉには、図１に示すように、コイル１９が巻かれるボビン１８が取り付けられる。
【００２３】
また、ステータコア１７と隣接して設けられる各基板２０には、ホールＩＣ等の電子部品が搭載されるが、電子部品が占有するスペース以外の空きスペースに風通し用の穴２０ａが開けられている。
【００２４】
次に、このポンプ装置の詳細構造と組み立て方法について説明する。
【００２５】
まず、ポンプ側ケーシング２の中径円筒状延出部２ｃに、アウターロータ型モータを形成する各構成要素を取り付ける。すなわち、ポンプ側ケーシング２の中径円筒状延出部２ｃの外壁には、ステータコア組（ステータコア１７と、ボビン１８と、ボビン１８に巻かれたコイル１９と、ボビン１９に取り付けられた基板２０と、基板２０に結線されたホールＩＣ２１およびリード線２２を含む）をリード線２２側から先に挿入し、ステータコア１７と中径円筒状延出部２ｃとを超音波溶着などの接合手段で固定する。
【００２６】
次に、小径円筒状延出部２ｄの一方の端部、すなわち先端部の内壁から、中径円筒状延出部２ｃの一方の端部の内壁にかけて、オイルシール６を圧入等の接合方法で固定する。次に、中径円筒状延出部２ｃの中間部と他方の端部に、軸受装置としてラジアル軸受１２，１３を圧入などの接合方法で固定する。その後、オイルシール６とラジアル軸受１２および１３に、吸水口７付近まで延びるようにシャフト１６を挿通する。このシャフト１６の一方の端部１６ａには、ロータ組（マグネット１４が取り付けられたロータヨーク１５からなる）が挿入、固定される。また、このロータ組の挿入とは反対側の端部１６ｂからインペラ５と続いて分離壁３、インペラ４が挿入され、圧入等によって固定される。なお、インペラ４とインペラ５との係合は、軸方向に移動可能に結合されている。
【００２７】
上述の構造のモータは、三相ＤＣブラシレスモータを構成し、図６の結線図に示すように、コイル１９は、スター結線されて三相電圧が供給されるコイルＡ，ＢおよびＣからなり、ホールＩＣ２１は、コイルＡ，ＢおよびＣの間に配置されてＤＣ電源（たとえば５ボルト）が供給される３個のホール素子ＨＡ，ＨＢおよびＨＣからなる。
【００２８】
ロータヨーク１５が固定されるシャフト１６の一方の端部１６ａは、圧入結合を強化するためのローレットが形成されている。また、インペラ４が固定されるシャフト１６の他方の端部１６ｂは、圧入結合を強化するためのセレーションが形成されている。モータ側ケーシング１１は、アウターロータ型モータのロータ部の覆いとして共用されている。
【００２９】
上記の構造では、ポンプ側ケーシング２の各延出部２ｃ，２ｄに、オイルシール６と、ラジアル軸受１２，１３と、ステータコア１７が固定、保持されるために、各部品の同芯の確保が容易となる。
【００３０】
次に、上記構造のポンプ装置の動作について説明する。
【００３１】
まず、食器洗い乾燥機の食器洗いモード時には、リード線２２に三相電圧が供給されてモータが起動され、モータの出力軸となるシャフト１６が、一定時間の間、図３から見て反時計回りに回転するように駆動される。それにより、インペラ４も反時計回りに回転する。それと同時に、インペラ５も反時計回りに回転するが、排水時と逆の回転のため、排水側への漏水はない。
【００３２】
インペラ４の回転により、吸水口７から食器洗浄水が吸いこまれ、インペラ室８に供給される。このとき、インペラ室８の圧力が高まるので、インペラ室１０側への水漏れが発生するおそれがあるが、インペラ４の環状リブ４ｃと分離壁３の環状溝３ｂによるラビリンス構造が水漏れを極力少なくするように働く。次いで、インペラ室８内の食器洗浄水は、インペラ４の羽根部４ｂの回転の働きによって渦巻き状吐出部９の入口９ａに送り込まれる。送り込まれた食器洗浄水は、渦巻き状吐出部９の出口９ｂからポンプ装置外に噴出して、食器に注がれ、食器が洗浄される。洗浄後の食器洗浄水は、再び吸水口７から吸いこまれ、循環的に使用される。
【００３３】
なお、食器洗い乾燥機の食器洗いモード時には、ポンプ側ケーシング２の中径円筒状延出部２ｃに固定されているステータコア１７の発熱は、ロータヨーク１５のファン羽根１５ａの回転によってモータ側ケーシング１１の風通し穴１１ａから入る外部空気によって冷却される。
【００３４】
すなわち、ファン羽根１５ａの回転によって、外部空気が、モータ側ケーシング１１の風通し穴１１ａからモータ内部に取り込まれる。取り込まれた外部空気は、風となって、図１の矢印Ａで示すように、ステータコア１７の連結円筒部１７Ｊと、リブ１７ａ〜１７ｉと、ポンプ側ケーシング２の中径円筒状延出部２ｃとで形成される貫通部１８ａ〜１８ｉ（図７参照）を通り、モータ側ケーシング１１の開口部１１ｂから外部へ抜ける。ステータコア１７は、リブ１７ａ〜１７ｉの形成によって風が当たる露出表面積が増やされており、その発熱が効果的に冷却される。
【００３５】
同様に、風通し穴１１ａから入る風は、図１の矢印Ｂで示すように、コイル１９の装着後のステータコア１７の各磁極片間に存在する隙間（すなわち貫通部）１８Ａ〜１８Ｉ（図７参照）を通る。この風は、続いて、図１の矢印Ｃで示すように各基板２０の穴２０ａを通り、モータ側ケーシング１１の開口部１１ｂから外部へ抜ける。ステータコア１７の各磁極片間の隙間（すなわち貫通部）１８Ａ〜１８Ｉを流れる風は、ステータコア１７とコイル１９を直接冷却する。このように、外部空気が、上述の２つのルートを流れることによって、ステータ組の冷却効果が高くなっている。なお、各基板２０の穴２０ａは、ステータコア１７に装着されたコイル間の各隙間に対応するように設けられている。この実施の形態では、９個となっている。
【００３６】
次に、一定時間の間の食器洗浄作業が終了すると、続いて、リード線２２に食器洗い動作時の三相電圧と順序が逆の関係になる三相電圧が供給され、モータが逆回転するように駆動される。モータが逆回転すると、モータの出力軸となるシャフト１６が、図３から見て時計回りに回転するように駆動される。それにより、インペラ５も時計回りに回転する。それと同時に、インペラ４も時計回りに回転するが、その回転方向が渦巻き状吐出部９の渦巻き方向と逆であり、ポンプ効率が極端に悪くなるため、支障はない。
【００３７】
インペラ５の回転により、食器洗い乾燥機内部の底に溜まった洗浄後の水は、入水口２３から吸いこまれ、インペラ室１０に供給される。次いで、インペラ室１０内の水は、インペラ５の羽根部５ｂの回転の働きによって出水口２４に送り込まれ、食器洗い乾燥機外に排水される。このように、排水ポンプとして機能するときは、風向きは図１に示す方向と逆となる。すなわち、外部の空気が開口部１１ｂや開口部１１ｄから流入し、風通し穴１１ａから流出する。
【００３８】
以上説明した構成および動作により、次のような効果がある。
１）同一のポンプ側ケーシングに、オイルシール、軸受装置およびステータコアが固定、保持されるために、各部品の同芯の確保が容易となる。
２）従来構造におけるモータの取付板の代用として、ポンプ側ケーシングが共用に使用されるため、部品点数が削減され、安価なポンプが可能になる。
３）モータ部を含むトータルの組み立てが容易となり、精度も出し易くなる。
４）アウターロータ型モータを使用するため、マグネットが大きくなり、安価なフェライトマグネットを使用して必要とする磁束が確保できる。
５）アウターロータ型モータを使用するため、ステータコアが小さく、かつ巻線が容易となり、材料費、巻線費が安価になる。
６）ブラシレスＤＣモータを使用するため、５０／６０Ｈｚ特性が同じになる。
７）ブラシレスＤＣモータを使用するため、モータの回転数を容易にアップでき、回転数の高い領域での使用が可能となり、ポンプ効率がアップし、小型にできる。また、モータの効率アップも図れる。
８）アウターロータの側面をファンとして使用するため、冷却用の別ファンが不要となる。
９）ブラシレスモータを使用するため、効率が良く、発熱が抑えられる。また、ブラシレスモータであるため、回転数制御が容易となり、用途によって使い分けが可能となり、汎用性が高まる。
１０）空冷効果が高くなる構造になっているため、より細い線径の巻線を使用したり大電流を流したりすることが可能となり、モータが小型化できる。また、耐熱グレードの低い材料が使用可能となり、ポンプモータとして安価となる。
【００３９】
上述のように、本発明の実施の形態について説明したが、本発明はこれに限らず種々の変形、応用が可能である。たとえば、上述の実施の形態では、食器洗い乾燥機用ポンプ装置としたが、これに限らずポンプ一般に適用可能である。また、インペラを２つ備えるものではなく、１つのみのインペラを有するポンプ装置に適用しても良い。
【００４０】
また、マグネット１４を固定するロータヨーク部を鉄製の磁性材料とし、ファン羽根１５ａを切り起こしではなく樹脂製とし、ロータヨーク部およびシャフト１６を、インサート成形で固定しても良い。
【００４１】
また、ステータコア１７は、たとえば図８に示すように、他の形状にすることができる。図８では、ステータコア１７は、たとえば９個の磁極片１７Ａ〜１７Ｉと、連結円筒部１７Ｊと、リブ１７ａ〜１７ｉと、内側円筒部１７Ｌとからなる一体成形構造になっている。各磁極片１７Ａ〜１７Ｉは、等間隔に円形になるように連結円筒部１７Ｊに連結される。また、各リブ１７ａ〜１７ｉは、連結円筒部１７Ｊにおける各磁極片１７Ａ〜１７Ｉに対応する場所から内向きに延びており、それらの先端に内側円筒部１７Ｌが一体形成されている。内側円筒部１７Ｌの内壁は、ステータ支持部として働く中径円筒状延出部２ｃに嵌合する貫通孔１７Ｋとなる。この構造では、連結円筒部１７Ｊと、リブ１７ａ〜１７ｉと、内側円筒部１７Ｌとでファン羽根１５ａからの風の貫通部１８′ａ〜１８′ｉ（図８参照）が形成される。また、図７および図８に示したステータコア１７は、９スロットのものとなっているが、他のスロット数のものにしても良い。
【００４２】
また、ステータコア１７やラジアル軸受１２，１３等の支持をポンプ側ケーシング２で行う構成は、３相のＤＣブラシレスモータ以外に、ＡＣ同期モータ、ステッピングモータ等の他のブラシレスモータやＤＣブラシ付きモータ等のブラシ付きモータにも適用することができる。また、上述した貫通部構造やファン羽根１５ａについても、各種のモータに適用することができる。
【００４３】
【発明の効果】
本発明の各ポンプ装置は、同じポンプケーシングに軸受けおよびステータコアが固定、保持されるために、各部品の同心の確保が容易となる。また、モータの取付板の代用として、ポンプケーシングが共用に使用されるため、部品点数が削減され、安価なポンプが可能になる。また、モータ部も含み、トータルの組立が容易となり、精度も出し易くなる。また、ステータコアの内部に特別な貫通部を形成し、ステータコアに放熱用のリブを形成しているので、ステータコアを空冷する効果を高めることができる。
【図面の簡単な説明】
【図１】本発明のポンプ装置の実施の形態を示す縦断面図で図３のＩ−Ｉ線断面図である。
【図２】図１に示すポンプ装置の正面図である。
【図３】図２に示すポンプ装置の左側面図である。
【図４】図２に示すポンプ装置の右側面図である。
【図５】図４の矢印Ａから見た部分略図である。
【図６】図１に示すポンプ装置のモータ部の結線図である。
【図７】図１に示すポンプ装置のモータ部のステータコア形状の一例を示す横断面図である。
【図８】図１に示すポンプ装置のモータ部のステータコア形状の他例を示す横断面図である。
【符号の説明】
１      ポンプ側ケーシング
２      ポンプ側ケーシング
２ｂ    開口部
２ｃ    中径円筒状延出部（軸受支持部，ステータ支持部）
２ｄ    小径円筒状延出部
３      分離壁
４      インペラ
５      インペラ
１１ａ，１１ｂ  開口部
１２，１３  ラジアル軸受（軸受装置）
１５    ロータヨーク
１５ａ  ファン羽根
１６    シャフト（モータの出力軸）
１７    ステータコア
１７Ａ〜１７Ｉ  磁極片
１７ａ〜１７ｉ  リブ（貫通部の一部）
１８ａ〜１８ｉ  貫通部
１８′ａ〜１８′ｉ  貫通部
２０    基板
２０ａ  穴
２１    ホールＩＣ
２６    マグネット
【図１】
0004369551.tif 000002
【図２】
0004369551.tif 000003
【図３】
0004369551.tif 000004
【図４】
0004369551.tif 000005
【図５】
0004369551.tif 000006
【図６】
0004369551.tif 000007
【図７】
0004369551.tif 000008
【図８】
0004369551.tif 000009